(57)【要約】【課題】通路にいる弱視者が、開閉面が光の位置に存在することをある程度遠くから事前に認識する。【解決手段】まず、建築物の通路２における壁面２０の凹所に既設された開閉面３の周囲４のうち通路の壁面４０に照明器具１を設置する。設置後の照明器具１では、ＬＥＤユニットからカバーに向かって光が放射される。続いて、カバーに放射された光は、カバーを通過して照明器具１の設置面（壁面４０）の垂直方向だけでなく、上記壁面４０の平行方向にも照射される。【選択図】図１
2008293931.tif 000002
【特許請求の範囲】
【請求項１】
建築物の通路における壁面に既設された開閉面の周囲に照明器具を設置し、前記照明器具から当該照明器具の設置面に対して少なくとも平行方向に光を照射することを特徴とする開閉面ガイド方法。
【請求項２】
前記壁面の凹所に既設された開閉面の周囲に前記照明器具を設置し、前記照明器具から前記開閉面と直交する方向に光を照射することを特徴とする請求項１記載の開閉面ガイド方法。
【請求項３】
前記開閉面の周囲のうち前記通路の壁面に前記照明器具を設置することを特徴とする請求項１又は２記載の開閉面ガイド方法。
【請求項４】
請求項１乃至３のいずれか１項に記載の開閉面ガイド方法に用いられる照明器具であって、
前記開閉面の周囲の表面に発光面が沿うように前記建築物に埋設される光源と、前記発光面に近接して設置される導光部とを備え、前記光源の発光面から放射された光を前記導光部を介して少なくとも前記発光面が沿う周囲表面の平行方向に照射することを特徴とする照明器具。
【請求項５】
請求項１乃至３のいずれか１項に記載の開閉面ガイド方法に用いられる照明器具であって、
箱状に形成され上下方向の側面で前記開閉面の周囲に取り付けられ左右方向の側面に開口が形成された器具本体と、前記器具本体の底面に設置され前記器具本体の取付面の方向に光を照射する光源と、前記器具本体に固定され前記光源からの光を反射させる反射板とを備え、前記光源から放射された光を前記反射板で反射させ前記開口から少なくとも前記取付面の平行方向に照射することを特徴とする照明器具。
【請求項６】
前記光源からの光の照射面は、長手方向の長さが２０ｃｍ以上であることを特徴とする請求項４又は５記載の照明器具。
【発明の詳細な説明】
【技術分野】
【０００１】
本発明は、開閉面ガイド方法及びこれに用いられる照明器具に関するものである。
【背景技術】
【０００２】
従来、弱視者を保護するものとして、特許文献１には、黄色に塗装された多数ブロックからなるブロック列に照明光源を所要間隔で設けた弱視者誘導路が開示されている。特許文献１の弱視者誘導路が歩道に施工されることによって、弱視者は夜間でも安全に歩行することができる。
【特許文献１】特開平１１−７８１３号公報（段落０００８〜００１１及び図１）
【発明の開示】
【発明が解決しようとする課題】
【０００３】
従来、上記のように弱視者に考慮した誘導路は開発されているが、弱視者に対して例えばエレベータなどの開閉面の存在を知らせるためのものがない。このため、弱視者は開閉面の前に来るまで開閉面の場所を知ることができず、弱視者にとってサインの内容を視認しにくいことから、開閉面の存在に気付きにくいという問題があった。
【０００４】
本発明は上記の点に鑑みて為されたものであり、その目的は、通路にいる弱視者が、開閉面が光の位置に存在することをある程度遠くから事前に認識することができる開閉面ガイド方法及びこれに用いられる照明器具を提供することにある。
【課題を解決するための手段】
【０００５】
請求項１の開閉面ガイド方法に係る発明は、建築物の通路における壁面に既設された開閉面の周囲に照明器具を設置し、前記照明器具から当該照明器具の設置面に対して少なくとも平行方向に光を照射することを特徴とする。
【０００６】
請求項２の開閉面ガイド方法に係る発明は、請求項１の発明において、前記壁面の凹所に既設された開閉面の周囲に前記照明器具を設置し、前記照明器具から前記開閉面と直交する方向に光を照射することを特徴とする。
【０００７】
請求項３の開閉面ガイド方法に係る発明は、請求項１又は２の発明において、前記開閉面の周囲のうち前記通路の壁面に前記照明器具を設置することを特徴とする。
【０００８】
請求項４の照明器具に係る発明は、請求項１乃至３のいずれか１項に記載の開閉面ガイド方法に用いられる照明器具であって、前記開閉面の周囲の表面に発光面が沿うように前記建築物に埋設される光源と、前記発光面に近接して設置される導光部とを備え、前記光源の発光面から放射された光を前記導光部を介して少なくとも前記発光面が沿う周囲表面の平行方向に照射することを特徴とする。
【０００９】
請求項５の照明器具に係る発明は、請求項１乃至３のいずれか１項に記載の開閉面ガイド方法に用いられる照明器具であって、箱状に形成され上下方向の側面で前記開閉面の周囲に取り付けられ左右方向の側面に開口が形成された器具本体と、前記器具本体の底面に設置され前記器具本体の取付面の方向に光を照射する光源と、前記器具本体に固定され前記光源からの光を反射させる反射板とを備え、前記光源から放射された光を前記反射板で反射させ前記開口から少なくとも前記取付面の平行方向に照射することを特徴とする。
【００１０】
請求項６の照明器具に係る発明は、請求項４又は５記載の発明において、前記光源からの光の照射面は、長手方向の長さが２０ｃｍ以上であることを特徴とする。
【発明の効果】
【００１１】
請求項１の発明によれば、照明器具の設置面に対して平行な光を照射することによって、通路にいる弱視者が、開閉面が光の位置に存在することをある程度遠くから事前に認識することができる。
【００１２】
請求項２の発明によれば、たとえ開閉面を正面とする位置にいたとしても、弱視者にとっては開閉面そのものを認識しづらい状況において、開閉面と直交する方向に照射された光によって、開閉面やその周囲の形状を容易に認識することができる。
【００１３】
請求項３の発明によれば、床面や天井面と壁面との間でコントラストをつけることができるので、視認性を向上させることができる。
【００１４】
請求項４の発明によれば、光源部を建築物に埋設することができるので、器具全体の意匠性を向上させることができる。
【００１５】
請求項５の発明によれば、取付面の垂直方向に光が放射するのを低減することができるので、平行方向の光を認識させやすくすることができる。
【００１６】
請求項６の発明によれば、弱視者が、離れた場所からでもより確実に視認することができる。
【発明を実施するための最良の形態】
【００１７】
（実施形態１）
実施形態１について図１，２を用いて説明する。まず、この開閉面ガイド方法で用いられる照明器具１は、図２に示すように、開口１００が形成された金属製の器具本体１０と、光を放射するＬＥＤユニット１１と、ＬＥＤユニット１１に電源を供給する電源ユニット１２と、器具本体１０の開口１００を覆う乳白色のカバー１３とを備えている。
【００１８】
器具本体１０は、開口１００が形成された細長い箱状のものであり、長方形状の底面部１０１と、底面部１０１の長手方向（図２の手前から奥方向）に沿った両側から底面部１０１の垂直方向に延設された長方形状の側面部１０２と、底面部１０１の短手方向（図２の上下方向）に沿った両側から底面部１０１の垂直方向に延設された長方形状の側面部（図示せず）とを一体に備えている。
【００１９】
ＬＥＤユニット１１は、複数個のＬＥＤ１１０によって、一の方向（図２の手前から奥方向）を長手方向とする発光面１１１を有し、この発光面１１１が側面部１０２の先端より突出する（図２において発光面１１１が側面部１０２の先端より左側になるように突出する）ように、器具本体１０に収納されている。
【００２０】
電源ユニット１２はＬＥＤユニット１１と電気的に接続し、ＬＥＤユニット１１とともに器具本体１０に収納されている。
【００２１】
カバー１３は、外方向に凸状の曲面となるように成型されたものであり、器具本体１０にＬＥＤユニット１１及び電源ユニット１２が収納された状態で器具本体１０の開口１００を覆うように取り付けられている。
【００２２】
次に、本実施形態の開閉面ガイド方法について図１，２を用いて説明する。まず、図１に示すように、建築物の通路２における壁面２０に既設された開閉面３の周囲４に照明器具１を設置する。周囲４は、図１に示す壁面４０及び凹所壁面４１の領域をいう。本実施形態では、開閉面３の周囲４のうち通路の壁面４０に照明器具１を設置する。ここで、開閉面３は例えばエレベータの乗降口や自動扉、非常口などであり、一般的に通路２の壁面２０から窪んだ位置（凹所）に既設されている。設置された照明器具１では、ＬＥＤユニット１１（図２参照）からカバー１３（図２参照）に向かって光が放射される。続いて、カバー１３に放射された光は、カバー１３を通過して照明器具１の設置面（壁面４０）の垂直方向（図２の左方向）だけでなく、上記壁面４０の平行方向（図２の上下方向）にも照射される。つまり、照明器具の照射範囲は図２のＡの範囲となる。本実施形態のＬＥＤユニット１１は、発光面１１１が器具本体１０よりもカバー１３側に突出し、また、本実施形態のカバー１３は上記のように外方向に凸状であるので、従来の照明器具に比べて、ＬＥＤユニット１１からの光をより壁面４０の平行方向に照射させることができる。なお、本実施形態の平行方向には、壁面４０と完全に平行となる方向（壁面４０とのなす角度が０°となる方向）だけでなく、壁面４０とのなす角度が０°以上３０°以下となる方向も含んでいる。
【００２３】
以上、本実施形態によれば、照明器具１の設置面（壁面４０）に対して平行な光を照射することによって、通路にいる弱視者が、開閉面３が光の位置に存在することをある程度遠くから事前に認識することができる。
【００２４】
また、照明器具１を壁面４０に設置することによって、床面２１や天井面２２と壁面２０（４０）との間でコントラストをつけることができるので、視認性を向上させることができる。
【００２５】
なお、実施形態１の変形例として、照明器具１は、カバー１３に代えて、フラット形状の拡散パネルであるカバーを備えてもよい。このような照明器具１であっても、照明器具１の設置面（壁面４０）に対して平行な光を照射することができる。
【００２６】
（実施形態２）
実施形態２は、開閉面３の周囲４のうち凹所壁面４１（図１（ａ）参照）に、図３に示す照明器具１ａを設置し、照明器具１ａから開閉面３と直交する方向（図１（ａ）の下方向）に光を照射する点で、実施形態１と相違している。なお、実施形態１と同様の構成要素については、同一の符号を付して説明を省略する。
【００２７】
本実施形態の照明器具１ａの構造は、図３に示すように実施形態１の照明器具１（図２参照）と相違している。照明器具１ａの器具本体１０ａは、長方形状の底面部１０１ａと、底面部１０１ａの長手方向（図３の手前から奥方向）に沿った側端から延設された長方形状の側面部１０２ａと、側面部１０２ａの長手方向の側端から底面部１０１ａと対向するように延設された長方形状の前面部１０３と、底面部１０１ａの短手方向の両側から延設された側面部（図示せず）とを一体に備え、底面部１０１ａの先端と前面部１０３の先端との間に開口１００ａが形成されている。底面部１０１ａ及び前面部１０３の短手方向（図３の上下方向）において、底面部１０１ａに対して前面部１０３が短く形成されている。
【００２８】
本実施形態のカバー１３ａは、長方形の板状に成型されたものであり、器具本体１０ａの開口１００ａを覆うように取り付けられる。つまり、カバー１３ａは、照明器具１ａが凹所壁面４１に取り付けられたとき、照明器具１ａが取り付けられた凹所壁面４１に対して傾斜して取り付けられることになる。なお、カバー１３ａは上記以外の点において実施形態１のカバー１３（図２参照）と同様である。
【００２９】
このような照明器具１ａが凹所壁面４１に設置されると、照明器具１ａでは、ＬＥＤユニット１１からカバー１３ａに向かって光が放射される。続いて、カバー１３に放射された光は、カバー１３を通過して照明器具１ａが設置された凹所壁面４１の垂直方向（図３の左方向）よりも、上記凹所壁面４１の平行方向（図３の上方向）に多く照射される。照明器具の照射範囲は図３のＢの範囲となる。本実施形態のカバー１３ａは凹所壁面４１に対して傾斜して取り付けられているので、従来の照明器具に比べて、ＬＥＤユニット１１からの光をより凹所壁面４１の平行な上方向に照射させることができる。なお、本実施形態の平行方向においても、凹所壁面４１と完全に平行となる方向（凹所壁面４１とのなす角度が０°となる方向）だけでなく、凹所壁面４１とのなす角度が０°以上３０°以下となる方向も含んでいる。
【００３０】
以上、本実施形態によれば、たとえ開閉面３を正面とする位置にいたとしても、弱視者にとっては開閉面３そのものを認識しづらい状況において、開閉面３と直交する方向に照射された光によって、開閉面３やその周囲４の形状を容易に認識することができる。
【００３１】
なお、実施形態２の変形例として、図４に示すような照明器具１ｂを用いてもよい。器具本体１０ｂは、開口１００ｂが形成された細長い箱状のものであり、長方形状の底面部１０１ｂと、底面部１０１ｂの長手方向（図４の手前から奥方向）に沿った両側から底面部１０１ｂの垂直方向に延設された長方形状の側面部１０２ｂと、底面部１０１の短手方向（図２の上下方向）に沿った両側から底面部１０１ｂの垂直方向に延設された長方形状の側面部（図示せず）とを一体に備えている。図４の左右方向において、上側の側面部１０２ｂのほうが下側の側面部１０２ｂよりも短く形成されている。
【００３２】
本変形例のカバー１３ｂは、長方形の板状に成型されたものであり、照明器具１ｂが凹所壁面４１に取り付けられたとき、照明器具１ｂが取り付けられた凹所壁面４１に対して傾斜して取り付けられることになる。
【００３３】
このような照明器具１ｂが凹所壁面４１に設置されると、照明器具１ｂでは、ＬＥＤユニット１１からカバー１３ｂに向かって光が放射される。続いて、カバー１３ｂに放射された光は、カバー１３ｂを通過して照明器具１が設置された凹所壁面４１の垂直方向（図４の左方向）だけでなく、上記凹所壁面４１の平行方向（特に図４の上方向）にも照射される。照明器具の照射範囲は図４のＣの範囲となる。本変形例のカバー１３ｂは凹所壁面４１に対して傾斜して取り付けられているので、従来の照明器具に比べて、ＬＥＤユニット１１からの光をより凹所壁面４１の平行な上方向に照射させることができる。なお、本変形例の平行方向も、凹所壁面４１と完全に平行となる方向（凹所壁面４１とのなす角度が０°となる方向）だけでなく、凹所壁面４１とのなす角度が０°以上３０°以下となる方向も含んでいる。
【００３４】
以上、本変形例においても、実施形態２と同様に、開閉面３と直交する方向に照射された光によって、開閉面３やその周囲４の形状を容易に認識することができる。
【００３５】
（実施形態３）
実施形態３の照明器具１ｃは、図５（ａ）に示すように、開閉面３の周囲４の凹所壁面４１に発光面１１１が沿うように建築物に埋設されるＬＥＤユニット１１と、発光面１１１に近接して設置される透明部材の導光部１４とを備える点で、実施形態２の照明器具１ａと相違している。なお、実施形態２と同様の構成要素については、同一の符号を付して説明を省略する。
【００３６】
本実施形態の照明器具１ｃは、埋込ボックス１０ｃ内に、ＬＥＤユニット１１及び電源ユニット１２を収納し、ＬＥＤユニット１１の発光面１１１に導光部１４を近接配置する。このような構成の照明器具１ｃは、ＬＥＤユニット１１の発光面１１１から放射された光を、図５（ｂ）に示すように導光部１４を介して少なくとも発光面１１１（図５（ａ）参照）が沿う凹所壁面４１の平行方向に照射する。
【００３７】
以上、本実施形態によれば、ＬＥＤユニット１１を建築物に埋設することができるので、器具全体の意匠性を向上させることができる。
【００３８】
なお、実施形態３の変形例として、図６に示すような照明器具１ｄであってもよい。照明器具１ｄでは、ＬＥＤユニット１１及び電源ユニット１２を内蔵した発光部において、ＬＥＤユニット１１から放射された光が効率よくファイバーユニット１５へ入力されるようにレンズ１６を設けられている。ファイバーユニット１５としては、側面発光が可能な光ファイバーユニットを用いている。上記のような変形例においても、器具全体の意匠性を向上させることができる。
【００３９】
（実施形態４）
実施形態４の照明器具１ｅは、図７に示すように、器具本体１０ｅと、器具本体１０ｅの底面部１０１ｅに設置され器具本体１０ｅの取付面の方向に光を照射するＬＥＤユニット１１と、器具本体１０ｅに固定されＬＥＤユニット１１からの光を反射させる反射板１７とを備える点で、実施形態２と相違している。なお、実施形態２と同様の構成要素については、同一の符号を付して説明を省略する。
【００４０】
器具本体１０ｅは箱状に形成されたものであり、長方形状の底面部１０１ｅと、底面部１０１ｅの長手方向（図７（ａ）の上下方向）に沿った両側から底面部１０１ｅの垂直方向に延設された長方形状の側面部１０２ｅ，１０２ｅと、底面部１０１ｅの短手方向（図７（ａ）の手前から奥方向）に沿った両側から底面部１０１ｅの垂直方向に延設された長方形状の側面部１０４，１０４とを一体に備え、上下方向の側面部１０４，１０４で開閉面３の凹所壁面４１に取り付けられている。側面部１０４に比べて側面部１０２ａの高さ（図７（ａ）の左右方向の長さ）が低いので、図７（ｂ）に示すように、器具本体１０ｅには、左右方向（図７（ｂ）の上下方向）の側面側に開口１０５，１０５が形成されている。
【００４１】
このように設置された照明器具１ｅでは、まず、ＬＥＤユニット１１が、器具本体１０ｅが取り付けられている凹所壁面４１の方向に光を放射する。その後、ＬＥＤユニット１１からから放射された光は反射板１７で反射し、開口１０５，１０５から少なくとも凹所壁面４１の平行方向に照射する。
【００４２】
以上、本実施形態によれば、照明器具１ｅが取り付けられた凹所壁面４１の垂直方向に光が放射するのを低減することができるので、平行方向の光を認識させやすくすることができる。
【００４３】
なお、実施形態３又は４の変形例として、照明器具１ｃ〜１ｅを、実施形態１のように開閉面３の周囲４のうち壁面４０（図１（ａ）参照）に設置してもよい。このように照明器具１ｃ〜１ｅを設置すると、実施形態１と同様の効果を得ることができる。
【００４４】
（実施形態５）
実施形態５では、長さの異なるＬＥＤユニット１１を設置し、１２人の健常者に対して弱視（白濁）シミュレーションメガネを用いて、本実施形態の照明器具１（図２参照）と小型フットライト（縦５０ｍｍ、横長１６０ｍｍのＬＥＤ式）とを容易に区別することができるか否かを判断する実験を行った。なお、各健常者は、「まず間違えない」、「間違うことがありえる」のいずれかで回答した。図８では、「まず間違えない」と回答した人の割合で表わしている。図８の「○」は「間違えない」と回答した人が８０％以上１００％以下、「△」は３０％以上７９％以下、「×」は０％以上２９％以下である。図８の結果を見ると、照射面の長さが２０ｃｍ（２００ｍｍ）以上である場合、１ｍ離れて見る場合であっても、５ｍ離れて見る場合であっても、「間違えない」と回答した人が８０％以上であった。これに対して、照射面の長さが１０ｃｍ（１００ｍｍ）以下の場合、１ｍ離れてみる場合、５ｍ離れてみる場合の両方の場合において、「間違えない」と回答した人が７９％以下になっている。上記より、ＬＥＤユニット１１からの光の照射面において、長手方向の長さを２０ｃｍ以上とすることが好ましいといえる。
【００４５】
以上、本実施形態によれば、ＬＥＤユニット１１からの光の照射面における長手方向の長さを２０ｃｍ以上とすることによって、弱視者が、離れた場所からでもより確実に視認することができる。
【００４６】
なお、実施形態１〜５とは異なるが、弱視者のために設けられる照明器具として、図９（ｂ）に示すようなものがある。図９（ｂ）に示す照明器具１ｆは、埋込ボックス１０ｆ内にＬＥＤユニット１１及び電源ユニット１２を収納し、建築物の凹所壁面４１に細長く光を投影できるように、ＬＥＤユニット１１からの光をプリズム１８を介して外部に放射するものである。実際に投影された光は、図９（ａ）に示すようなライン状のもの（図９（ａ）のＤ）となる。
【００４７】
また、他の例として、図１０に示すような照明器具１ｇがある。図１０の照明器具１ｇは、実施形態４と同様に、器具本体１０ｅと、ＬＥＤユニット１１とを備えているが、実施形態４とは異なり、ＬＥＤユニット１１からの光を反射させる反射板１７を備えていない。なお、実施形態４と同様の構成要素については、同一の符号を付して説明を省略する。
【００４８】
このような照明器具１ｇでは、ＬＥＤユニット１１が、器具本体１０ｅが取り付けられている凹所壁面４１の方向に光を放射し、凹所壁面４１に投影するものである。
【００４９】
上記照明器具１ｆ，１ｇによれば、凹所壁面４１に光を投影することによって、弱視者に対して、開閉面３の存在を認識させることができる。
【図面の簡単な説明】
【００５０】
【図１】実施形態１の開閉面の周囲であって、（ａ）が天井面側から見た図、（ｂ）が開閉面の正面側から見た図である。
【図２】同上の照明器具であって、床面側から見たときの断面図である。
【図３】実施形態２の照明器具であって、床面側から見たときの断面図である。
【図４】同上の変形例の照明器具であって、床面側から見たときの断面図である。
【図５】実施形態３の照明器具であって、（ａ）が床面側から見たときの断面図、（ｂ）が（ａ）の要部拡大図である。
【図６】同上の変形例の照明器具であって、（ａ）が外観図、（ｂ）が要部断面図である。
【図７】実施形態４の照明器具であって、（ａ）が外観図、（ｂ）が天井面側から見た断面図である。
【図８】実施形態５において、照明器具の照射面の長さに対する見えやすさを示す図である。
【図９】実施形態１〜５とは異なる照明器具であって、（ａ）が外観図、（ｂ）が開閉面の正面側から見たときの断面図である。
【図１０】実施形態１〜５とは異なる他の照明器具であって、（ａ）が外観図、（ｂ）が天井面側から見たときの断面図である。
【符号の説明】
【００５１】
１，１ａ〜１ｇ  照明器具
２  通路
２０  壁面
３  開閉面
４  周囲
４０  壁面
【図１】
2008293931.tif 000003
【図２】
2008293931.tif 000004
【図３】
2008293931.tif 000005
【図４】
2008293931.tif 000006
【図５】
2008293931.tif 000007
【図６】
2008293931.tif 000008
【図７】
2008293931.tif 000009
【図８】
2008293931.tif 000010
【図９】
2008293931.tif 000011
【図１０】
2008293931.tif 000012